(57)【特許請求の範囲】
【請求項１】
電磁石を内蔵した複数のパネル体を単数枚または複数枚用いて形成された中央パネル部、左パネル部、右パネル部を有し、
前記中央パネル部に対し、前記左パネル部および前記右パネル部が連結部を介して回動可能に連結されていて、
前記中央パネル部、前記左パネル部、前記右パネル部により平坦面が形成されている状態においては、それぞれに内蔵されている前記電磁石の磁極が同一となる第１の状態を呈し、
前記中央パネル部に対する前記左パネル部または前記右パネル部のいずれか一方の回動角度があらかじめ設定されている回動角度以上になった際に、当該回動させたパネル部に内蔵されている前記電磁石の磁極が回動前における磁極と逆磁極となる第２の状態を呈し、
前記各電磁石の磁極が前記第１の状態または前記第２の状態を呈するように、前記各電磁石への電源供給状態を切り替えする電源供給制御部を具備し、
前記電源供給制御部は、
前記左パネル部の内部に配設され、前記中央パネルに対する前記左パネル部の回動角度が所定角度以上に回動されたことを検出する第１の検出手段と、
前記右パネル部の内部に配設され、前記中央パネルに対する前記右パネル部の回動角度が所定角度以上に回動されたことを検出する第２の検出手段と、
前記第１の検出手段および前記第２の検出手段により検出された検出信号の組み合わせに基づいて、前記左パネルおよび右パネルに内蔵されている電磁石への供給電流の向き、および、前記中央パネルに内蔵されている電磁石への供給電流のオンオフのうち、少なくとも前記左パネルおよび右パネルに内蔵されている電磁石への供給電流の向きを切り替え処理するスイッチ手段を備え、
前記第１の検出手段は、
前記左パネル部に所要間隔をあけて固定された第１の信号送信手段および第１の信号検出手段と、前記連結部に設けられ、前記中央パネル部に対する前記左パネル部の回動状態に合わせて、前記第１の信号送信手段と前記第１の信号検出手段との間に進退し、前記第１の信号送信手段から送信された信号を遮蔽することが可能な第１の遮蔽部材と、を有し、
前記第２の検出手段は、
前記右パネル部に所要間隔をあけて固定された第２の信号送信手段および第２の信号検出手段と、前記連結部に設けられ、前記中央パネル部に対する前記右パネル部の回動状態に合わせて、前記第２の信号送信手段と前記第２の信号検出手段との間に進退し、前記第２の信号送信手段から送信された信号を遮蔽することが可能な第２の遮蔽部材と、を有していることを特徴とする磁気治療器。
【請求項２】
電磁石を内蔵した複数のパネル体を単数枚または複数枚用いて形成された中央パネル部、左パネル部、右パネル部を有し、
前記中央パネル部に対し、前記左パネル部および前記右パネル部が連結部を介して回動可能に連結されていて、
前記中央パネル部、前記左パネル部、前記右パネル部により平坦面が形成されている状態においては、それぞれに内蔵されている前記電磁石の磁極が同一となる第１の状態を呈し、
前記中央パネル部に対する前記左パネル部または前記右パネル部のいずれか一方の回動角度があらかじめ設定されている回動角度以上になった際に、当該回動させたパネル部に内蔵されている前記電磁石の磁極が回動前における磁極と逆磁極となる第２の状態を呈し、
前記中央パネル部に対し、前記左パネル部および前記右パネル部の回動角度が予め設定されている回動角度以上になった際に、一方のパネル部の電磁石の磁極が回動前における磁極と同じ磁極となり、他方のパネル部の電磁石の磁極が回動前における磁極と逆磁極となると共に、前記中央パネル部の電磁石が無磁極になる第３の状態を呈し、
前記各電磁石の磁極が前記第１の状態、前記第２の状態、前記第３の状態をそれぞれ呈するように、前記各電磁石への電源供給状態を切り替えする電源供給制御部を具備し、
前記電源供給制御部は、
前記左パネル部の内部に配設され、前記中央パネルに対する前記左パネル部の回動角度が所定角度以上に回動されたことを検出する第１の検出手段と、
前記右パネル部の内部に配設され、前記中央パネルに対する前記右パネル部の回動角度が所定角度以上に回動されたことを検出する第２の検出手段と、
前記第１の検出手段および前記第２の検出手段により検出された検出信号の組み合わせに基づいて、前記左パネルおよび右パネルに内蔵されている電磁石への供給電流の向き、および、前記中央パネルに内蔵されている電磁石への供給電流のオンオフのうち、少なくとも前記左パネルおよび右パネルに内蔵されている電磁石への供給電流の向きを切り替え処理するスイッチ手段を備え、
前記第１の検出手段は、
前記左パネル部に所要間隔をあけて固定された第１の信号送信手段および第１の信号検出手段と、前記連結部に設けられ、前記中央パネル部に対する前記左パネル部の回動状態に合わせて、前記第１の信号送信手段と前記第１の信号検出手段との間に進退し、前記第１の信号送信手段から送信された信号を遮蔽することが可能な第１の遮蔽部材と、を有し、
前記第２の検出手段は、
前記右パネル部に所要間隔をあけて固定された第２の信号送信手段および第２の信号検出手段と、前記連結部に設けられ、前記中央パネル部に対する前記右パネル部の回動状態に合わせて、前記第２の信号送信手段と前記第２の信号検出手段との間に進退し、前記第２の信号送信手段から送信された信号を遮蔽することが可能な第２の遮蔽部材と、を有していることを特徴とする磁気治療器。
【請求項３】
前記第１の信号送信手段および前記第２の信号送信手段のうち少なくとも一方が光照射手段であり、前記第１の信号検出手段および前記第２の信号検出手段のうち少なくとも一方が光検出手段であることを特徴とする請求項１または２記載の磁気治療器。
【請求項４】
前記中央パネル部、前記左パネル部、前記右パネル部には、ヒータが内蔵されていることを特徴とする請求項１〜３のうちのいずれか一項に記載の磁気治療器。
【請求項５】
前記中央パネル部、前記左パネル部、前記右パネル部には、バイブレータが配設されていることを特徴とする請求項１〜４のうちのいずれか一項に記載の磁気治療器。
【発明の詳細な説明】
【技術分野】
【０００１】
本発明は磁気治療器に関する。
【背景技術】
【０００２】
電磁石を用いて身体のコリ等を軽減させるための磁気治療器はさまざまな形態のものが提案されている。近年では様々な使用形態を可能にするため、小型で使い勝手の良い磁気治療器の提案が望まれている。このような磁気治療器としては、例えば特許文献１や特許文献２に開示されているような磁気治療器が提案されている。
特許文献１および２で提案されている磁気治療器は、磁気コイルからの磁気を身体に効率的に照射させるために、磁気コイルを取り付ける本体部をフレキシブルな素材からなるシート体に形成している点が特徴的である。
このようなフレキシブルシートからなる本体部を採用することにより、磁気治療器を体の凹凸状態に合わせて装着することができるため、身体の所望の部位に効率的に磁気を照射させることが可能であるとしている。
【先行技術文献】
【特許文献】
【０００３】
【特許文献１】特開平６−３３９５３４号公報
【特許文献２】特開２００６−２９６６６９号公報
【発明の開示】
【発明が解決しようとする課題】
【０００４】
以上に示したように、身体の凹凸状態に合わせて磁気治療器を確実に装着することができることにより、効率的な磁気の照射が可能になったが、装着する身体の部位によっては、シート体に取り付けられた磁気コイルどうしが対向した配列になることがある。このように磁気コイルどうしが対向した状態で磁気治療器を使用すると、それぞれの磁気コイルにより形成される磁場が反発しあう状態になってしまい、効果的な磁気治療ができないことがあるという課題が明らかになった。
【０００５】
そこで本願発明は、磁気治療器の使用状態に応じて磁気治療器内における電磁石の磁極を適切に切り替えることが可能な磁気治療器の提供を目的としている。
【課題を解決するための手段】
【０００６】
上記課題を解決し、目的を達成させるために鋭意研究を行った結果、本願発明者は以下の構成に想到した。
すなわち、電磁石を内蔵した複数のパネル体を単数枚または複数枚用いて形成された中央パネル部、左パネル部、右パネル部を有し、前記中央パネル部に対し、前記左パネル部および前記右パネル部が連結部を介して回動可能に連結されていて、前記中央パネル部、前記左パネル部、前記右パネル部により平坦面が形成されている状態においては、それぞれに内蔵されている前記電磁石の磁極が同一となる第１の状態を呈し、前記中央パネル部に対する前記左パネル部または前記右パネル部のいずれか一方の回動角度があらかじめ設定されている回動角度以上になった際に、当該回動させたパネル部に内蔵されている前記電磁石の磁極が回動前における磁極と逆磁極となる第２の状態を呈し、前記各電磁石の磁極が前記第１の状態または前記第２の状態を呈するように、前記各電磁石への電源供給状態を切り替えする電源供給制御部を具備し、前記電源供給制御部は、前記左パネル部の内部に配設され、前記中央パネルに対する前記左パネル部の回動角度が所定角度以上に回動されたことを検出する第１の検出手段と、前記右パネル部の内部に配設され、前記中央パネルに対する前記右パネル部の回動角度が所定角度以上に回動されたことを検出する第２の検出手段と、前記第１の検出手段および前記第２の検出手段により検出された検出信号の組み合わせに基づいて、前記左パネルおよび右パネルに内蔵されている電磁石への供給電流の向き、および、前記中央パネルに内蔵されている電磁石への供給電流のオンオフのうち、少なくとも前記左パネルおよび右パネルに内蔵されている電磁石への供給電流の向きを切り替え処理するスイッチ手段を備え、前記第１の検出手段は、前記左パネル部に所要間隔をあけて固定された第１の信号送信手段および第１の信号検出手段と、前記連結部に設けられ、前記中央パネル部に対する前記左パネル部の回動状態に合わせて、前記第１の信号送信手段と前記第１の信号検出手段との間に進退し、前記第１の信号送信手段から送信された信号を遮蔽することが可能な第１の遮蔽部材と、を有し、前記第２の検出手段は、前記右パネル部に所要間隔をあけて固定された第２の信号送信手段および第２の信号検出手段と、前記連結部に設けられ、前記中央パネル部に対する前記右パネル部の回動状態に合わせて、前記第２の信号送信手段と前記第２の信号検出手段との間に進退し、前記第２の信号送信手段から送信された信号を遮蔽することが可能な第２の遮蔽部材と、を有していることを特徴とする磁気治療器である。
【０００７】
また、他の発明として、電磁石を内蔵した複数のパネル体を単数枚または複数枚用いて形成された中央パネル部、左パネル部、右パネル部を有し、前記中央パネル部に対し、前記左パネル部および前記右パネル部が連結部を介して回動可能に連結されていて、前記中央パネル部、前記左パネル部、前記右パネル部により平坦面が形成されている状態においては、それぞれに内蔵されている前記電磁石の磁極が同一となる第１の状態を呈し、前記中央パネル部に対する前記左パネル部または前記右パネル部のいずれか一方の回動角度があらかじめ設定されている回動角度以上になった際に、当該回動させたパネル部に内蔵されている前記電磁石の磁極が回動前における磁極と逆磁極となる第２の状態を呈し、前記中央パネル部に対し、前記左パネル部および前記右パネル部の回動角度が予め設定されている回動角度以上になった際に、一方のパネル部の電磁石の磁極が回動前における磁極と同じ磁極となり、他方のパネル部の電磁石の磁極が回動前における磁極と逆磁極となると共に、前記中央パネル部の電磁石が無磁極になる第３の状態を呈し、前記各電磁石の磁極が前記第１の状態、前記第２の状態、前記第３の状態をそれぞれ呈するように、前記各電磁石への電源供給状態を切り替えする電源供給制御部を具備し、前記電源供給制御部は、前記左パネル部の内部に配設され、前記中央パネルに対する前記左パネル部の回動角度が所定角度以上に回動されたことを検出する第１の検出手段と、前記右パネル部の内部に配設され、前記中央パネルに対する前記右パネル部の回動角度が所定角度以上に回動されたことを検出する第２の検出手段と、前記第１の検出手段および前記第２の検出手段により検出された検出信号の組み合わせに基づいて、前記左パネルおよび右パネルに内蔵されている電磁石への供給電流の向き、および、前記中央パネルに内蔵されている電磁石への供給電流のオンオフのうち、少なくとも前記左パネルおよび右パネルに内蔵されている電磁石への供給電流の向きを切り替え処理するスイッチ手段を備え、前記第１の検出手段は、前記左パネル部に所要間隔をあけて固定された第１の信号送信手段および第１の信号検出手段と、前記連結部に設けられ、前記中央パネル部に対する前記左パネル部の回動状態に合わせて、前記第１の信号送信手段と前記第１の信号検出手段との間に進退し、前記第１の信号送信手段から送信された信号を遮蔽することが可能な第１の遮蔽部材と、を有し、前記第２の検出手段は、前記右パネル部に所要間隔をあけて固定された第２の信号送信手段および第２の信号検出手段と、前記連結部に設けられ、前記中央パネル部に対する前記右パネル部の回動状態に合わせて、前記第２の信号送信手段と前記第２の信号検出手段との間に進退し、前記第２の信号送信手段から送信された信号を遮蔽することが可能な第２の遮蔽部材と、を有していることを特徴とする磁気治療器がある。
【発明の効果】
【０００８】
本発明にかかる磁気治療器によれば、磁気治療器の使用状態に応じて磁気治療器に内蔵されている電磁石の磁極状態を適宜切り替えることができるため、磁気治療器の装着状態にかかわらず最適な状態で磁気を身体に照射することが可能である。
【図面の簡単な説明】
【０００９】
【図１】本実施形態における磁気治療器の平面図（Ａ）および正面図（Ｂ）である。
【図２】本実施形態における磁気治療器の第１の検出手段の概略構造を示す斜視図（Ａ）と斜視図に対応させた動作説明図（Ｂ）である。
【図３】本実施形態における磁気治療器の第１の検出手段の概略構造を示す斜視図（Ａ）と斜視図に対応させた動作説明図（Ｂ）である。
【図４】本実施形態における磁気治療器の第１の検出手段の概略構造を示す斜視図（Ａ）と斜視図に対応させた動作説明図（Ｂ）である。
【図５】磁気治療器を平坦状態にした際における磁力線の状態を模式的に表した説明正面図である。
【図６】本実施形態における磁気治療器の左右のパネル部を中央パネル部に対して所定角度の範囲内で曲折した状態における磁力線の状態を模式的に表した説明正面図である。
【図７】本実施形態における磁気治療器の左パネル部を中央パネル部および右パネル部に対してほぼ直角に曲折させた際における磁力線の状態を模式的に表した説明正面図である。
【図８】本実施形態における磁気治療器の左パネル部と右パネル部を中央パネル部に対してほぼ直角に曲折させた際における磁力線の状態を模式的に表した説明正面図である。
【発明を実施するための最良の形態】
【００１０】
以下、本発明にかかる磁気治療器１０の実施形態について、図面に基づいて説明する。図１は、本実施形態における磁気治療器の平面図（Ａ）および正面図（Ｂ）である。
本実施形態における磁気治療器１０は、左パネル体２２からなる左パネル部２０、中央パネル体３２からなる中央パネル部３０、右パネル体４２からなる右パネル部４０を有している。磁気治療器１０は、図１に示すように中央パネル部３０に対して左パネル部２０と右パネル部４０が連結部である連結軸５０を介してそれぞれ回動可能に連結されている。このように３枚のパネル体により構成された磁気治療器１０には、電源を供給するための電源コード６０および図示しない操作器に電気的に接続する接続コード７０が図示しないコネクタにより右パネル体４２に着脱自在に接続されている。電源コード６０および接続コード７０は中央パネル部３０または左パネル部２０に接続させることもできる。
【００１１】
本実施形態においては、左パネル部２０、中央パネル部３０、右パネル部４０はそれぞれ１枚のパネル体により構成されているが、第１パネル体、第２パネル体、第３パネル体、第４パネル体，第５パネル体・・・とした４つ以上のパネル体により構成されていてもよい。この場合、各パネル部を構成するパネル体どうしも連結軸５０を介して互いに回動可能に連結すればよい。
【００１２】
左パネル部２０と右パネル部４０について説明する。本実施形態においては、左パネル部２０と右パネル部４０は基本的には同じ構造を有しているので、ここでは左パネル部２０の説明のみを行うことにする。左パネル部２０の各構成において第１の〜２Ｘ（Ｘは自然数または自然数と文字の組みあわせ）と説明している構成は、右パネル部４０の構成における第２の〜４Ｘ（Ｘは自然数または自然数と文字の組みあわせ）と置き換えることができる。
【００１３】
左パネル部２０は、図１（Ａ）に示すように、平面視がほぼコの字型に形成された左パネル体２２を有し、左パネル体２２の上面側には球面状をなす突状部２３が配設されている。突状部２３は使用者の身体の一部を磁気治療器１０に押圧した際に、指圧効果を得ることができる。このような突状部２３は、左パネル体２２の左右両端部の近傍位置に所要間隔をあけて複数列に配設されている。本実施形態においては、中央パネル部３０側の突状部２３の下方位置にヒータ２４を埋設している。このヒータ２４は磁気治療器１０の表面を温めるためのものであり、特に冬季において良好な使い心地を提供するためのものである。突状部２３はヒータ２４埋設部との長時間の接触による低温火傷を防止するという点においても好都合である。
【００１４】
また、左パネル体２２の平面中央部分には電磁石２５とバイブレータ２６が埋設されている。電磁石２５は、図１（Ａ）における上下方向からバイブレータ２６を挟み込む配置となる２箇所（同心円状の模様が施された平面位置）に埋設されている。また、バイブレータ２６の振動子には筒状体２６Ａの一端部が当接した状態で配設されている。この筒状体２６Ａの他端部は左パネル体２２の上面から突出しているので、使用者の身体の一部を筒状体２６Ａに接触させれば、バイブレータ２６からの振動が筒状体２６Ａを介して使用者の身体の一部に好適に付与され、マッサージ効果を得ることができる。また、バイブレータ２６による振動を、磁気治療器１０による磁気供給が開始された後における所定時間や、磁気治療器１０による磁気供給時における所要の時間間隔や、タイマー設定機能による使用時における設定時間到達前の所定時間のいずれかまたはすべてにおいて発生させることもできる。これによりバイブレータ２６は、使用者に磁気治療器１０の作動状況を伝達する手段として使用することもできる。
左パネル部２０における右側の２箇所の突出部分２０Ａの側面には、連結軸５０を装着するための連結穴２８が設けられている。本実施形態における連結部は連結軸５０と連結穴２８（連結孔３８）とにより構成されている。
【００１５】
次に中央パネル部３０について説明する。図１（Ａ）に示すように、中央パネル部３０は平面視形状が略十字型に形成された中央パネル体３２を有し、中央パネル体３２の上面側には球面状の突状部３３が配設されている。突状部３３は、中央パネル体３２の左右両端部の近傍位置に所要間隔をあけて複数列に配設されている。中央パネル体３２の平面中央位置には電磁石３５とバイブレータ３６が埋設されている。電磁石３５は、図１（Ａ）において上下方向からバイブレータ３６を挟み込む配置で２箇所（同心円の模様部分）に埋設されている。また、バイブレータ３６の振動子には筒状体３６Ａの一端部が当接した状態で配設されている。中央パネル体３２の上面には筒状体３６Ａの他端部が突出している。中央パネル部３０の左右側面２箇所の突出部分３０Ａの側面には、連結部である連結軸５０を挿通させるための連結孔３８が設けられている。
【００１６】
電源供給制御部について説明する。ここでは、左パネル部２０に配設された第１の検出手段のみについて詳細な説明を行うが、右パネル部４０に配設された第２の検出手段も第１の検出手段と同じ構成を採用することができる。図２〜図４は、本実施形態における磁気治療器の第１の検出手段の概略構造を示す斜視図（Ａ）と斜視図に対応させた動作説明図（Ｂ）である。
左パネル部２０の突出部分２０Ａのうち少なくとも一方の内部には、第１の検出手段であり、第１の信号送信手段である光照射手段としてのＬＥＤ２９Ａおよび第１の信号検出手段である光検出手段としてのフォトトランジスタ２９Ｂとが所要間隔をあけた状態で基板２９Ｃに装着された状態で固定されている。
【００１７】
フォトトランジスタ２９Ｂはマイクロコンピュータおよび動作制御プログラムを有する制御部（図示せず）に電気的に接続されていて、制御部には受光量情報が常時または所要の時間間隔で送信されている。また、連結軸５０の先端部分には、第１の遮蔽部材である突出片２９Ｄが形成されている。突出片２９Ｄ部分は光不透過性材料により形成または被覆されている。本実施形態においては連結軸５０と突出片２９Ｄを一体に形成しているが、連結軸５０と突出片２９Ｄはそれぞれ別体に形成し、両者を一体に組み立てすることもできる。このように形成された突出片２９Ｄは、中央パネル部３０に対する左パネル部２０および右パネル部４０の回動動作に伴って連結軸５０と共に回動することで、ＬＥＤ２９Ａとフォトトランジスタ２９Ｂとの間に進退自在に設けられている。
左パネル部２０が中央パネル部３０と同一平面をなす状態から所要角度に回動するまでの範囲においては、図２に示すように、突出片２９ＤはＬＥＤ２９Ａとフォトトランジスタ２９Ｂとの間からは外れた場所に位置している。この状態においては、フォトトランジスタ２９Ｂは最大受光量に対して１００％の受光量を検出することになる。
【００１８】
左パネル部２０を中央パネル部３０に対して回動させると、ＬＥＤ２９Ａとフォトトランジスタ２９Ｂが左パネル部２０と共に回動し、図３に示すように、ＬＥＤ２９Ａとフォトトランジスタ２９Ｂとの間に突出片２９Ｄの一部が進入することになる。突出片２９Ｄは光不透過性材料により形成されているので、突出片２９Ｄによりフォトトランジスタ２９Ｂの受光面積（ＬＥＤ２９Ａの光照射部分）の一部が覆われた状態になるため、左パネル部２０を中央パネル部３０に対して回動させる前の状態（最大受光量）に比較して受光量が減少することになる。フォトトランジスタ２９Ｂは、実際の受光量を最大受光量に対する百分率等で数値化することが可能であり、受光量の数値データが制御部に送信されている。
【００１９】
制御部の動作制御プログラムには予めフォトトランジスタ２９Ｂから送信された受光量の数値データに対する閾値が設定されている。この動作制御プログラムに設定されている閾値は、外部入力手段等により変更可能に設定しておけば尚好都合である。
制御部は、フォトトランジスタ２９Ｂから制御部に送信された受光量の数値データが閾値を下回ったことを確認すると、左パネル部２０が中央パネル部３０に対して所定角度以上に回動されたものと判断している。そして左パネル部２０が中央パネル部３０に対してさらに回動して、中央パネル部３０に対する左パネル部２０の回動角度が９０度をなすと、図４に示すように、突出片２９Ｄがフォトトランジスタ２９Ｂの受光面のすべてを覆う（ＬＥＤ２９Ａの光照射面をすべて覆う）ことになる。すなわちこの状態においては、フォトトランジスタ２９Ｂから制御部に送信される受光量の数値データは０％となる。
【００２０】
制御部は、左パネル部２０内に固定された第１の信号検出手段の一部であるフォトトランジスタ２９Ｂから送信された受光量信号である受光量の数値データと、右パネル部４０内に固定された図示しないフォトトランジスタから送信された受光量の数値データとの組み合わせにより、左パネル部２０、中央パネル部３０、右パネル部４０のそれぞれに内蔵されている電磁石２５，３５、４５への電源供給状態を適宜切り替えるスイッチ手段としても機能する。
具体的には、左パネル部２０および右パネル部４０のフォトトランジスタ２９Ｂ（右パネル部は図示せず）から送信された受光量の数値データがいずれも１００％〜５０％の範囲にある場合（ＬＥＤ２９Ａとフォトトランジスタ２９Ｂと突出片２９Ｄとの位置関係が、図２〜図３に示す範囲にある場合）には、制御部は図５、図６に示すように、各電磁石２５，３５，４５の上面側がすべてＮ極になるように電磁石２５，３５，４５に電流を供給する第１の状態を提供する。
【００２１】
また、左パネル部２０または右パネル部４０のいずれか一方のフォトトランジスタ（ここでは左パネル部２０のフォトトランジスタ２９Ｂとする）からの受光量の数値データのみが５０％未満になった場合（ＬＥＤ２９Ａとフォトトランジスタ２９Ｂと突出片２９Ｄとの位置関係が、図３に示す状態から図４に示す状態にわずかに近づいた状態になった場合）には、制御部は図７に示すように、左パネル部２０の電磁石２５への供給電流の向きを当初状態（左パネル部２０を回動させる前の状態）と逆向きにして、中央パネル部３０および右パネル部４０側の面がＳ極となる第２の状態を提供する。
【００２２】
さらに、左パネル部２０および右パネル部４０のフォトトランジスタ２９Ｂ（右パネル部は図示せず）から送信された受光量の数値データがいずれも５０％未満になった場合には、制御部は図８に示すように、左パネル部２０の電磁石２５への供給電流の向きを当初状態（左パネル部２０を回動させる前の状態）と逆向きにして、中央パネル部３０の電磁石３５への供給電流をストップし、右パネル部４０の電磁石４５への供給電流の向きを当初状態のまま（左パネル部２０に対向する面がＮ極となる）を維持させた第３の状態を提供する。
【００２３】
第１の状態では、図５、図６に示すように磁気治療器１０は略平坦面をなしていて、それぞれの面における磁極を同一にすることができるため、使用者は広範囲にわたって所定の磁力を作用させることができる。
第２の状態では、図７に示すように磁気治療器１０を略Ｌ字型にして用いる際に、左パネル部２０に対して中央パネル部３０および右パネル部４０からの磁力線を集中させることができるため、第１の状態に比較して強い磁力を作用させることができる。従来の磁気治療器を図７に示す状態にした場合には、左パネル部２０の磁極と中央パネル部３０および右パネル部４０の磁極とが互いに反発しあう状態になり、使用者は磁気を当てたい部位に効率的に磁力を作用させることができなかった。このため、本実施形態における磁気治療器１０は極めて使い勝手がよいことが諒解される。
【００２４】
第３の状態では、図８に示すように、磁気治療器１０をコの字型にして用いる際に、右パネル部４０から放出された磁力が左パネル部２０に向かって流れる磁場を形成することになる。また、中央パネル部３０の電磁石３５からは磁力が放出されていないため、右パネル部４０のＮ極から放出された磁力は直接左パネル部２０のＳ極に流入することになるため、使用者は磁気を当てたい部位を中央パネル部３０の位置に配置すれば磁気を集中的に作用させることができる。従来の磁気治療器を図８に示す状態にした場合には、左パネル部２０の磁極と右パネル部４０の磁極が中央パネル部３０の磁極と互いに反発しあう状態になり、使用者か効率的に磁力を作用させることができなかった。この点においても本実施形態における磁気治療器１０は極めて使い勝手がよいことが諒解される。
【００２５】
また、制御部は、電磁石２５，３５，４５への電流供給の制御を行う他にも、ヒータ２４，４４やバイブレータ２６，３６，４６への電流供給の制御も可能である。ヒータ２４，４４やバイブレータ２６，３６，４６への電流供給の制御は、切り替えスイッチ等を配設する等して動作条件を切り替え可能にすることも可能である。
【００２６】
本実施形態においては、中央パネル部３０に対する左パネル部２０および右パネル部４０の回動角度を検出する第１の手段（および第２の検出手段）としてＬＥＤ２９ＡとＬＥＤ２９Ａが照射した光を検出するフォトトランジスタ２９Ｂを用いた構成例について説明しているが、第１の検出手段（および第２の検出手段）の構成はこの実施形態に限定されるものではない。本実施形態のように光信号により中央パネル部３０に対する左右パネル部２０，４０の回動状態を検出する場合であっても他の公知の構成を採用することができるのはもちろんである。
【００２７】
また、中央パネル部３０に対する左右パネル部２０，４０の回動状態を検出するための信号も光信号に限定されるものではない。光信号以外の検出信号としては、例えば磁気信号等を用いることも可能である。さらには、光信号や磁気信号を検出する検出手段のような非接触式の検出手段に限らず、電極と電極に接触させて用いるロータリースイッチからなる接触型の検出手段を用いることももちろん可能である。
【００２８】
さらに、上記実施形態における左パネル部２０、中央パネル部３０、右パネル部４０の電磁石２５，３５，４５の磁極状態は複数の組み合わせのうちの一例を示したに過ぎない。他の実施形態としては、磁気治療器１０を４つ以上のパネル体により構成し、左パネル部２０、中央パネル部３０、右パネル部４０の少なくとも１つを複数のパネル体により構成させることもできる。中央パネル部３０に対する左パネル部２０および右パネル部４０の回動角度に応じた電磁石２５，３５，４５の磁極の向きの制御を容易にするためには、夫々の左パネル部２０、中央パネル部３０、右パネル部４０を構成する各パネル体の数を同一にすればよい。
また、磁気治療器１０を構成するパネル部２０，３０，４０の枚数にかかわらず、特許請求の範囲に記載されている磁極の切り替わり状態であれば、他の磁極の切り替わり状態の組み合わせであっても本発明の技術的範囲に属することはもちろんである。
【００２９】
さらにまた、本実施形態においては、左パネル部２０と右パネル部４０にヒータ２４，４４を内蔵させているが、中央パネル部３０にヒータを内蔵させることもできる。この場合、左パネル部２０および右パネル部４０のヒータ２４，４４は、それぞれ磁気治療器１０の両端位置となる端縁部分に埋設し、中央パネル部３０のヒータ（図示せず）は、左パネル部２０と右パネル部４０との連結部付近（突状部３３が形成されている平面位置）に埋設すればよい。これにより磁気治療器１０の表面を均等に加熱することができる。
【符号の説明】
【００３０】
１０  磁気治療器
２０  左パネル部
２２  左パネル体
２３，３３，４３  突状部
２４，４４  ヒータ
２５，３５，４５  電磁石
２６，３６，４６  バイブレータ
２８  連結穴
２９Ａ  ＬＥＤ
２９Ｂ  フォトトランジスタ
２９Ｃ  基板
２９Ｄ  突出片
３０  中央パネル部
３２  中央パネル体
３８  連結孔
４０  右パネル部
４２  右パネル体
５０  連結軸
６０  電源コード
７０  接続コード
【図１】
0005719150.tif 000002
【図２】
0005719150.tif 000003
【図３】
0005719150.tif 000004
【図４】
0005719150.tif 000005
【図５】
0005719150.tif 000006
【図６】
0005719150.tif 000007
【図７】
0005719150.tif 000008
【図８】
0005719150.tif 000009